(57)【要約】【課題】  再生システム切り替えの際に出力中の画像データを記憶したフレームメモリに依存せず、且つ画像復号として膨大な記憶領域のメモリを用いることなく、画像データの出力が途切れないようにする。【解決手段】  出力中の画像データが、再生システム切り替え後には未使用のフレームメモリに記憶されている場合に、再生システム切り替え後に使用するフレームメモリへ画像データを転送させてから画像データを出力するように制御する。【選択図】  図１
2007074544.tif 000002
【特許請求の範囲】
【請求項１】
符号化された画像データを復号するとともに、該符号化データに応じたアクセス信号を生成する復号手段と、
前記画像データを記憶する複数のフレームメモリを有する記憶手段と、
前記復号後の画像データと前記アクセス信号とを入力とし、該アクセス信号に基づいて、前記記憶手段に対する前記画像データの入出力を行うアクセス手段と、
前記記憶手段に記憶された画像データを出力する出力手段と、
前記記憶手段の複数のフレームメモリ間において画像データを転送させる転送手段と、
再生システムの切り替えを通知する再生システム切り替え信号を入力とし、該再生システム切り替え信号に基づいて、前記復号手段、前記出力手段、及び前記転送手段の動作を制御する制御手段とを備えたことを特徴とする画像復号再生装置。
【請求項２】
請求項１に記載された画像復号再生装置において、
前記制御手段は、
前記再生システム切り替え信号に基づいて、システム切り替え後の新たな再生システムにおいて使用する前記フレームメモリを決定し、
前記出力手段が出力中の画像データが記憶されているフレームメモリが前記決定されたフレームメモリに含まれるかを判定し、
前記決定されたフレームメモリに含まれない場合に、前記出力手段が出力中の画像データを前記決定されたフレームメモリに転送させる転送指示信号を、前記転送手段に対して出力し、
前記画像データ転送後のフレームメモリから該画像データを出力させる出力指示信号を、前記出力手段に対して出力するように構成されていることを特徴とする画像復号再生装置。
【請求項３】
符号化された画像データを復号するとともに、該符号化データに応じた第１のアクセス信号を生成する復号手段と、
前記画像データを記憶する複数のフレームメモリを有する記憶手段と、
前記第１のアクセス信号と、前記画像データの転送を指示する第２のアクセス信号とを入力とし、該第１又は第２のアクセス信号のうち一方のアクセス信号を選択的に出力するアクセス選択手段と、
前記復号後の画像データと前記アクセス選択手段から出力されたアクセス信号とを入力とし、該アクセス信号に基づいて、前記記憶手段に対する前記画像データの入出力を行うアクセス手段と、
前記記憶手段に記憶された画像データを出力する出力手段と、
再生システムの切り替えを通知する再生システム切り替え信号を入力とし、該再生システム切り替え信号に基づいて、前記復号手段、前記出力手段、及び前記アクセス選択手段の動作を制御する制御手段とを備えたことを特徴とする画像復号再生装置。
【請求項４】
請求項３に記載された画像復号再生装置において、
前記制御手段は、
前記再生システム切り替え信号に基づいて、システム切り替え後の新たな再生システムにおいて使用する前記フレームメモリを決定し、
前記出力手段が出力中の画像データが記憶されているフレームメモリが前記決定されたフレームメモリに含まれるかを判定し、
前記決定されたフレームメモリに含まれない場合に、前記出力手段が出力中の画像データを前記決定されたフレームメモリに転送させる前記第２のアクセス信号と、前記アクセス選択手段において該第２のアクセス信号を選択するように指示する切り替え信号とを、該アクセス選択手段に出力し、
前記画像データ転送後のフレームメモリから該画像データを出力させる出力指示信号を、前記出力手段に対して出力するように構成されていることを特徴とする画像復号再生装置。
【発明の詳細な説明】
【技術分野】
【０００１】
本発明は、画像符号化データを復号する画像復号技術に関するものであり、特に、出力を乱すことなく、再生システムに応じて復号した画像データを記憶するフレームメモリを変更する画像復号再生装置に関するものである。
【背景技術】
【０００２】
従来より、デジタル画像信号を圧縮する符号化方式として、ISO/IEC11172,13818において規定されるＭＰＥＧ（Moving Picture Experts Group）方式などの予測符号化技術を用いたものが広く普及している。
【０００３】
図６は、ＭＰＥＧ方式の代表的なフレームデータ構造を示す図である。図６に示すように、動画シーケンスは、Ｉピクチャ（フレーム内符号化画像）、Ｐピクチャ（フレーム間順方向予測符号化画像）が、Ｂピクチャ（フレーム双方向予測符号化画像）によって構成されている。
【０００４】
図６（ａ）において矢印によって図示した通り、例えば、ＩピクチャＩ２はＩピクチャＩ２のフレームのみにおいてフレーム内符号化され、ＰピクチャＰ５はＩピクチャＩ２を、ＰピクチャＰ５はＩピクチャＩ２を、ＰピクチャＰ８はＰピクチャＰ５を参照してフレーム間予測符号化され、ＢピクチャＢ０、Ｂ１はＰ’１４とＩピクチャＩ２を、ＢピクチャＢ３，Ｂ４はＩピクチャＩ２及びＰピクチャＰ５を参照してフレーム間予測符号化される。
【０００５】
図６（ｂ）は各フレームの実際の符号化順序を示す図である。この符号化順序は、他のフレームの復号に必要とされるフレームがそのフレームよりも先に復号されるように設定されている。ＭＰＥＧ方式によって符号化された画像データを復号するためには、一般には、参照フレーム用として２面、出力フレーム用として１面の計３面のフレームメモリを用いる必要がある。
【０００６】
現在、画像圧縮技術においては様々な規格が定義されている。その中で、例えば、DVD Specifications for Read-Only Disc Part3によって定義されるＤＶＤ−Ｖｉｄｅｏ規格では、ＭＰＥＧ方式に準拠しているので、画像復号のためにフレームメモリが３面必要になる。一方、DVD Specifications for Read Only Disc Part4によって定義されるＤＶＤ−Ａｕｄｉｏ規格では、同じＭＰＥＧ方式の圧縮データを用いるが、圧縮画像がＩピクチャのみであるので、一般的にはフレームメモリが２面必要になる。
【０００７】
図７は、従来のフレームメモリの使用の一例を示す図である。図７（ａ）は、ＤＶＤ−Ｖｉｄｅｏ方式における割付の例であり、フレームメモリ０、１は参照用フレームメモリ、フレームメモリ２はＢピクチャ用フレームメモリである。また、図７（ｂ）は、ＤＶＤ−Ａｕｄｉｏ方式における使用するフレームメモリの例であり、フレームメモリ０，１はともにＩピクチャ用のフレームメモリである。
【０００８】
図８は、ＤＶＤ−Ｖｉｄｅｏ方式における通常再生復号時のフレームメモリの使用例を示すタイミングチャート図である。図８に示すように、復号されたＩピクチャ及びＰピクチャは、常にフレームメモリ０、１のうち出力済みの画像データが記憶されている方のフレームメモリに記憶され、復号されたＢピクチャは常に出力フレームメモリ２に記憶されるようになっている。
【０００９】
図９は、ＤＶＤ−Ａｕｄｉｏ方式における通常再生復号時のフレームメモリの割付例を示すタイミングチャートである。図９に示すように、復号されたＩピクチャは常にフレームメモリ０、１のうち出力済みの画像データが記憶されている方のフレームメモリに記憶されるようになっている。なお、この例では、１ピクチャあたりの出力時間は３フレーム時間としている。
【００１０】
ここで、単一の画像復号システムにおいて複数の画像圧縮規格に対応した画像再生を実現するために、例えば、特許文献１では、ＤＶＤ−Ｖｉｄｅｏ方式からＤＶＤ−Ａｕｄｉｏ方式への切り替えの際に、図１０で示すようにフレームメモリを変更することで、出力を乱さずに再生システムを切り替えるようにしたものが開示されている。
【００１１】
図１０（ａ）は、ＤＶＤ−Ｖｉｄｅｏ方式でのフレームメモリを示しており、図１０（ａ）においてフレームメモリ０又はフレームメモリ１の画像データを再生システム切り替え時に出力していた場合には、図１０（ｂ）に示すようなＤＶＤ−Ａｕｄｉｏ方式でのフレームメモリとし、図１０（ａ）でフレームメモリ２を再生システム切り替え時に出力していた場合には、図１０（ｃ）に示すようなＤＶＤ−Ａｕｄｉｏ方式でのフレームメモリとして使用するようにしている。
【特許文献１】特開２００１−１０３４２６号公報
【発明の開示】
【発明が解決しようとする課題】
【００１２】
しかしながら、単一の画像復号システムにおいて複数の画像圧縮規格に対応した画像再生を実現するためには、フレームメモリの割付を効率的に行う必要がある。例えば、ＤＶＤ−Ｖｉｄｅｏ方式とＤＶＤ−Ａｕｄｉｏ方式の復号処理を単一のシステムにおいて行う場合、必要となるフレームメモリの個数が、ＤＶＤ−Ｖｉｄｅｏ方式では３面である一方、ＤＶＤ−Ａｕｄｉｏ方式では２面であるので、使用するフレームメモリを効率的に切り替える必要がある。
【００１３】
ここで、ＤＶＤ−Ｖｉｄｅｏ方式では図７（ａ）のように、ＤＶＤ−Ａｕｄｉｏ方式では図７（ｂ）のように、それぞれフレームメモリの割付を行うものとする。
【００１４】
この場合、ＤＶＤ−Ｖｉｄｅｏ方式の再生においてフレームメモリ２の画像が出力されているときに再生モードをＤＶＤ−Ａｕｄｉｏ方式に切り替えるものとすると、ＤＶＤ−Ａｕｄｉｏ方式ではこのフレームメモリ２の領域はフレームメモリ以外の領域になるため、ビデオ出力を一時停止するか、又はボーダーカラーに落とすといった制御を行う必要がある。従って、いずれにせよ、再生システムの切り替え時に復号データの出力が途切れてしまうという問題が生じる。
【００１５】
もちろん、これらの問題は、膨大なメモリを用いることによって一応は回避できるが、回路規模の増大、コストアップ又は消費電力の増加を引き起こすことになる。
【００１６】
また、前記特許文献１では、再生システムの切り替えが発生した際に、出力中の画像データを記憶したフレームメモリに応じて再生システム切り替え後に使用するフレームメモリを変更することで一応の回避を行っているが、再生システム切り替えの際に出力中の画像データを記憶するフレームメモリに応じて新たな再生システムで使用するフレームメモリを変更する必要があり、制御が複雑になるため、回路規模の増大、コストアップを引き起こすという問題があった。
【００１７】
本発明は、かかる点に鑑みてなされたものであり、その目的とするところは、再生システム切り替えの際に出力中の画像データを記憶したフレームメモリに依存せず、且つ画像復号として膨大な記憶領域のメモリを用いることなく、画像データの出力が途切れないよう再生システムに応じて使用するフレームメモリを切り替えることにある。
【課題を解決するための手段】
【００１８】
すなわち、本発明の画像復号再生装置は、符号化された画像データを復号するとともに、該符号化データに応じたアクセス信号を生成する復号手段と、
前記画像データを記憶する複数のフレームメモリを有する記憶手段と、
前記復号後の画像データと前記アクセス信号とを入力とし、該アクセス信号に基づいて、前記記憶手段に対する前記画像データの入出力を行うアクセス手段と、
前記記憶手段に記憶された画像データを出力する出力手段と、
前記記憶手段の複数のフレームメモリ間において画像データを転送させる転送手段と、
再生システムの切り替えを通知する再生システム切り替え信号を入力とし、該再生システム切り替え信号に基づいて、前記復号手段、前記出力手段、及び前記転送手段の動作を制御する制御手段とを備えたことを特徴とするものである。
【発明の効果】
【００１９】
以上のように、本発明によれば、画像復号にかかる記憶領域を増加することなく、再生システムが切り替わる際に出力を乱さずに且つ出力中の画像データを記憶したフレームメモリに依存せずに新たな再生システムで使用するフレームメモリを決定することができる。
【００２０】
さらに、再生システム切り替え時に発生するフレームメモリの画像データの転送において、復号時に画像データアクセスを行うアクセス手段を用いて画像データの転送を行うことができるため、再生システムが切り替わる際に出力を乱さずに且つ出力中の画像データを記憶したフレームメモリに依存せずに新たな再生システムで使用するフレームメモリを決定することが、画像復号にかかる記憶領域及び回路規模を増大させることなく実現できる。
【発明を実施するための最良の形態】
【００２１】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２２】
＜実施形態１＞
図１は、本発明の実施形態１に係る画像復号再生装置の構成を示すブロック図である。図１において、１１は入力された画像符号化データを復号処理する復号部であり、制御部１７から入力される復号指示信号に基づいて該画像符号化データの復号処理が開始されるようになっている。さらに、この復号部１１では、該画像符号化データに応じたアクセス信号が生成され、復号後の画像データ及びアクセス信号はアクセス部１２に出力される。
【００２３】
前記アクセス部１２は、前記アクセス信号に基づいて、記憶部１３に対して画像データの入出力を行うものである。具体的に、前記復号部１１で復号された画像データを記憶部１３に記憶する一方、記憶部１３のフレームメモリに記憶されている画像データにアクセスすることができるようになっている。
【００２４】
前記記憶部１３は、複数個のフレームメモリで構成されており、フレームメモリの各々に画像データを記憶できるようになっている。具体的には、ＳＤＲＡＭ等のメモリで構成されている。記憶部１３に記憶されている画像データは出力部１４により読み出される。
【００２５】
前記出力部１４は、前記制御部１７から入力される出力指示信号に基づいて、記憶部１３のフレームメモリに記憶された画像データを出力するものであり、その出力タイミングは、映像同期信号発生部１５から出力される映像同期信号に同期して行われるようになっている。
【００２６】
前記映像同期信号発生部１５は、映像同期信号を生成して前記出力部１４及び前記制御部１７に対して映像同期信号を出力するものである。
【００２７】
また、前記記憶部１３には、転送部１６が接続されており、制御部１７から転送部１６に転送指示信号が入力されると、記憶部１３のフレームメモリに記憶されている画像データが別のフレームメモリに転送されるようになっている。
【００２８】
前記制御部１７は、再生システムの切り替えを通知する再生システム切り替え信号を入力とし、前記復号部１１に対して画像符号化データの復号を指示する復号指示信号を、前記出力部１４に対して出力すべき画像データを記憶したフレームメモリの指定を行う出力指示信号を、前記転送部１６に対して転送指示信号をそれぞれ出力するものである。
【００２９】
以下、必要なフレームメモリが３面である例えばＤＶＤ−Ｖｉｄｅｏ方式のような第１の再生システムと、必要なフレームメモリが２面である例えばＤＶＤ−Ａｕｄｉｏ方式のような第２の再生システムとの間で切り替えを行う場合を例にとって、制御部１７に再生システムの切り替えを通知する再生システム切り替え信号が入力された場合の動作について説明する。
【００３０】
図３は、画像復号再生装置において、第１の再生システムから第２の再生システムに切り替える際における各フレームメモリに記憶された画像データを示すタイミングチャート図である。図３に示すように、第１の再生システムにおいて画像データＢ３が出力されているときに、制御部１７に第２の再生システムへ切り替える再生システムの切り替え信号が入力されたものとする。
【００３１】
まず、前記制御部１７は、フレームメモリ０、フレームメモリ１を第２の再生システムにおいて使用するフレームメモリとして決定する。このときに出力されている画像データＢ３が記憶されたフレームメモリはフレームメモリ２であるので、制御部１７はフレームメモリ２に記憶された画像データをフレームメモリ０に転送させる転送指示信号を転送部１６に出力する。
【００３２】
前記転送部１６は、入力された転送信号に基づいて、フレームメモリ２に記憶されている画像データをフレームメモリ０に転送する。
【００３３】
その後、前記制御部１７は、フレームメモリ０に記憶されている画像データを出力させるべく、前記出力部１４に対して出力指示信号を出力する。
【００３４】
前記出力部１４は、入力された出力指示信号に基づいて、出力対象となる画像データを、フレームメモリ２に記憶されている画像データからフレームメモリ０に記憶されている画像データに切り替え、映像同期信号に同期してフレームメモリ０の画像データを出力し、フレームメモリ２を開放する。
【００３５】
最後に、前記制御部１７は、新たな第２の再生システムにおける復号データの書き込みをフレームメモリ１から開始させるための復号指示信号を出力し、新たな再生システムで使用するフレームメモリへの切り替えを終了する。
【００３６】
図４は、本実施形態１に係る画像復号再生装置におけるシステム切り替えの際の処理手順を示すフローチャート図である。図５は、記憶部１３におけるメモリ構成を示す図である。以下、第１の再生システムによって画像再生が行われており、図５（ａ）に示すように使用するフレームメモリが決定されたものとして説明する。
【００３７】
ここで、図５（ｂ）は、第１の再生システムから第２の再生システムへの切り替え中のフレームメモリを示す図であり、図５（ｃ）は、第２の再生システムで使用するフレームメモリを示す図である。なお、図５では、フレームメモリ２の画像データを出力中に再生システムが切り替わった場合を例として示している。また、図５における記憶部１３のメモリ構成中、“出力”は出力部１４が出力中であることを示し、“転送”は転送部１６がフレームメモリに記憶された画像データを矢印の示すフレームメモリに転送している状態を示しているものとする。
【００３８】
まず、ステップＳ１０１では、再生システムの切り替えが生じたか否かを判定する。ステップＳ１０１での判定が「ＹＥＳ」の場合には、続くステップＳ１０２に分岐する。ステップＳ１０１での判定が「ＮＯ」の場合には、処理を終了する。
【００３９】
ステップＳ１０２では、使用するフレームメモリを変更するか否かを判定する。ステップＳ１０２での判定が「ＹＥＳ」の場合には、続くステップＳ１０３に分岐する。ステップＳ１０２での判定が「ＮＯ」の場合には、ステップＳ１０７に分岐する。具体的に、第１の再生システムから第２の再生システムに切り替わった場合には、使用するフレームメモリがフレームメモリ０、１に変更されるため、ステップＳ１０３に分岐する。
【００４０】
ステップＳ１０３では、現在出力されている画像データが記憶されたフレームメモリを判定する。ここで、現在出力中の画像データが記憶されたフレームメモリがフレームメモリ０又は１の場合には、ステップＳ１０７に分岐し、フレームメモリ２の場合には、ステップＳ１０４に分岐する。
【００４１】
ステップＳ１０４では、フレームメモリ２に記憶された画像データをフレームメモリ０に転送させるべく、制御部１７から転送部１６に対して転送指示信号を出力し、続くステップＳ１０５に進む。
【００４２】
ステップＳ１０５では、フレームメモリ２からフレームメモリ０に対する画像データの転送が完了したかを判定する。ステップＳ１０５での判定が「ＹＥＳ」の場合には、ステップＳ１０６に分岐する。ステップＳ１０５での判定が「ＮＯ」の場合には、引き続きデータ転送を実行する。
【００４３】
ステップＳ１０６では、フレームメモリ０に記憶された画像データを出力すべく、制御部１７から出力部１４に対して出力指示信号を出力し、再生システム切り替え後に使用しないフレームメモリを開放して、続くステップＳ１０７に進む。
【００４４】
ステップＳ１０７では、画像復号再生装置において新たな再生システムへの切り替え設定を行い、処理を終了する。
【００４５】
以上のように、本実施形態１に係る画像復号再生装置によれば、再生システムの切り替えの際に出力中の画像データが記憶されているフレームメモリが、新たな再生システムにおいて使用しないフレームメモリであっても、出力中の画像データを新たな再生システムで使用するフレームメモリに転送し、新たな再生システムで使用するフレームメモリに記憶された画像データを出力するように出力を切り替えるから、画像データの出力が途切れないように制御することができる。従って、再生システムで使用するフレームメモリに切り替えることが、記憶部１３に新たな領域を追加することなく実現できる。
【００４６】
なお、本実施形態１では、図５（ａ）に示すように、フレームメモリを３面必要とする第１の再生システムに対して、記憶部１３の先頭を基準にフレームメモリを配置しているが、記憶部１３上でのフレームメモリの配置は特に指定するものではない。
【００４７】
また、フレームメモリを３面使用する再生システムからフレームメモリを２面使用する再生システムへの切り替えを例にとって説明したが、この形態に限定するものではなく、再生システムが使用するフレームメモリの面数が３面と２面以外の場合であっても、本実施形態１と同様に、使用するフレームメモリを切り替えることは可能である。
【００４８】
＜実施形態２＞
図２は、本発明の実施形態２に係る画像復号再生装置の構成を示すブロック図である。図２において、２１は入力された画像符号化データを復号処理する復号部であり、制御部２７から入力される復号指示信号に基づいて該画像符号化データの復号処理が開始されるようになっている。そして、復号後の画像データはアクセス部２３に出力される。さらに、この復号部２１では、該画像符号化データに応じた第１のアクセス信号が生成され、第１のアクセス信号はアクセス選択部２２に出力される。
【００４９】
前記アクセス選択部２２は、前記制御部２７から画像データの転送を指示する第２のアクセス信号と、出力すべきアクセス信号を選択的に切り替える切り替え信号とを入力とし、該切り替え信号に基づいて、前記復号部２１から入力される第１のアクセス信号と制御部２７から入力される第２のアクセス信号とを選択的にアクセス部２３に出力するものである。
【００５０】
前記アクセス部２３は、前記アクセス選択部２２で選択出力されたアクセス信号に基づいて、記憶部２４に対して画像データの入出力を行うものである。具体的に、前記復号部２１で復号された画像データを記憶部２４に記憶する一方、記憶部２４のフレームメモリに記憶されている画像データにアクセスすることができるようになっている。
【００５１】
前記記憶部２４は、複数個のフレームメモリで構成されており、フレームメモリの各々に画像データを記憶できるようになっている。具体的には、ＳＤＲＡＭ等のメモリで構成されている。記憶部２４に記憶されている画像データは出力部２５により読み出されるようになっている。
【００５２】
前記出力部２５は、前記制御部２７から入力される出力指示信号に基づいて、記憶部２４のフレームメモリに記憶された画像データを出力するものであり、その出力タイミングは、映像同期信号発生部２６から出力される映像同期信号に同期して行われるようになっている。
【００５３】
前記映像同期信号発生部２６は、映像同期信号を生成して前記出力部２５及び前記制御部２７に対して映像同期信号を出力するものである。
【００５４】
前記制御部２７は、再生システムの切り替えを通知する再生システム切り替え信号を入力とし、前記復号部２１に対して画像符号化データの復号を指示する復号指示信号を、前記アクセス選択部２２に対して画像データの転送を指示する第２のアクセス信号と切り替え信号とを、前記出力部２５に対して出力すべき画像データを記憶したフレームメモリの指定を行う出力指示信号をそれぞれ出力するものである。
【００５５】
以下、必要なフレームメモリが３面である例えばＤＶＤ−Ｖｉｄｅｏ方式のような第１の再生システムと、必要なフレームメモリが２面である例えばＤＶＤ−Ａｕｄｉｏ方式のような第２の再生システムとの間で切り替えを行う場合を例にとって、制御部２７に再生システムの切り替えを通知する再生システム切り替え信号が入力された場合の動作について説明する。
【００５６】
なお、画像復号再生装置において、第１の再生システムから第２の再生システムに切り替える際における各フレームメモリに記憶された画像データを示すタイミングチャート図は前記実施形態１と同様であるため、以下、図３を参照しながら説明する。
【００５７】
図３に示すように、第１の再生システムにおいて画像データＢ３が出力されているときに、制御部２７に第２の再生システムへ切り替える再生システムの切り替え信号が入力されたものとする。
【００５８】
再生システム切り替え信号が入力されると、制御部２７からの復号指示信号の出力が停止し、復号部２１における復号処理が停止する。
【００５９】
そして、前記制御部２７は、フレームメモリ０、フレームメモリ１を第２の再生システムにおいて使用するフレームメモリとして決定する。このときに出力されている画像データＢ３が記憶されたフレームメモリはフレームメモリ２であるので、制御部２７は切り替え信号をアクセス選択部２２に出力し、アクセス選択部２２において第２のアクセス信号がアクセス信号としてアクセス部２３に出力されるように選択的にアクセス信号の切り替えを行い、フレームメモリ２に記憶された画像データをフレームメモリ０に転送させるべく第２のアクセス信号をアクセス選択部２２に出力する。
【００６０】
前記アクセス選択部２２は、第２のアクセス信号が入力されると第２のアクセス信号をアクセス信号としてアクセス部２３に出力し、アクセス部２３は入力されたアクセス信号に基づいて、フレームメモリ２の画像データをフレームメモリ０に転送する。
【００６１】
その後、前記制御部２７は、フレームメモリ０に記憶されている画像データを出力させるべく、前記出力部２５に対して出力指示信号を出力する。
【００６２】
前記出力部２５は、入力された出力指示信号に基づいて、出力対象となる画像データを、フレームメモリ２に記憶されている画像データからフレームメモリ０に記憶されている画像データに切り替え、映像同期信号に同期してフレームメモリ０の画像データを出力し、フレームメモリ２を開放する。
【００６３】
最後に、前記制御部２７は、新たな第２の再生システムにおける復号データの書き込みをフレームメモリ１から開始させるための復号指示信号を出力し、新たな再生システムで使用するフレームメモリへの切り替えを終了する。
【００６４】
以上のように、本実施形態２に係る画像復号再生装置によれば、再生システムの切り替えの際に出力中の画像データが記憶されているフレームメモリが、新たな再生システムにおいて使用しないフレームメモリであっても、出力中の画像データを新たな再生システムで使用するフレームメモリに転送し、新たな再生システムで使用するフレームメモリに記憶された画像データを出力するように出力を切り替えるから、画像データの出力が途切れないように制御することができる。従って、再生システムで使用するフレームメモリに切り替えることが、記憶部２４に新たな領域を追加することなく実現できる。
【００６５】
さらに、アクセス部２３を復号及び出力中の画像データの転送にも活用しているため、画像データの転送専用の回路を必要とせず、回路規模の増大を抑える上で有利な効果が得られる。
【産業上の利用可能性】
【００６６】
以上説明したように、本発明は、再生システム切り替えの際に出力中の画像データを記憶したフレームメモリに依存せず、且つ画像復号として膨大な記憶領域のメモリを用いることなく、画像データの出力が途切れないよう再生システムに応じて使用するフレームメモリを切り替えることができるという実用性の高い効果が得られることから、きわめて有用で産業上の利用可能性は高い。
【図面の簡単な説明】
【００６７】
【図１】本発明の実施形態１に係る画像復号再生装置の構成を示すブロック図である。
【図２】本実施形態２に係る画像復号再生装置の構成を示すブロック図である。
【図３】本実施形態１に係る再生システムの切り替え時のフレームメモリを示すタイミングチャート図である。
【図４】本実施形態１に係る再生システムの切り替え動作を示すフローチャート図である。
【図５】（ａ）フレームメモリを３面使用する再生システムを示す図である。（ｂ）フレームメモリを３面使用する再生システムからフレームメモリを２面使用する再生システムへの再生システム切り替え中の一例を示す図である。（ｃ）フレームメモリを２面使用する再生システムを示す図である。
【図６】（ａ）ＭＰＥＧ方式の代表的なデータ構造を示す図である。（ｂ）各フレームの実際の符号化順序を示す図である。
【図７】（ａ）従来のフレームメモリのＤＶＤ−Ｖｉｄｅｏ方式における割付の例を示す図である。（ｂ）従来のフレームメモリのＤＶＤ−Ａｕｄｉｏ方式における割付の例を示す図である。
【図８】従来のフレームメモリを３面使用する再生システムでのフレームメモリの状態を示すタイミングチャート図である。
【図９】従来のフレームメモリを２面使用する再生システムでのフレームメモリの状態を示すタイミングチャート図である。
【図１０】（ａ）従来のＤＶＤ−Ｖｉｄｅｏ方式でのフレームメモリの構成を示す図である。（ｂ）ＤＶＤ−Ａｕｄｉｏ方式でのフレームメモリの構成を示す図である。（ｃ）ＤＶＤ−Ａｕｄｉｏ方式でのフレームメモリの別の構成を示す図である。
【符号の説明】
【００６８】
１１    復号部
１２    アクセス部
１３    記憶部
１４    出力部
１５    映像同期信号発生部
１６    転送部
１７    制御部
２１    復号部
２２    アクセス選択部
２３    アクセス部
２４    記憶部
２５    出力部
２６    映像同期信号発生部
２７    制御部
【図１】
2007074544.tif 000003
【図２】
2007074544.tif 000004
【図３】
2007074544.tif 000005
【図４】
2007074544.tif 000006
【図５】
2007074544.tif 000007
【図６】
2007074544.tif 000008
【図７】
2007074544.tif 000009
【図８】
2007074544.tif 000010
【図９】
2007074544.tif 000011
【図１０】
2007074544.tif 000012